(57)【要約】【課題】除電用のイオンを高速のエアジェットに乗せて全身にくまなく吹き付けることができ、人体や衣服に付着している塵埃を除電しながら高速のエアジェットで確実に吹き落とすことができるとともに、装置の小型化も可能とした簡易型のエアシャワー装置を提供する。【解決手段】踏み台部１１と、エアシャワー室を形成するカーテンを吊り下げるためのカーテンレール１８を備えた頭上板１２と、支柱部１３とからなり、頭上板１２には送風機１６と除電機能付きの固定式エアブローノズル１５とを備え、支柱部１３には送風機とフィルターの間をつなぐ吸気ダクト１９と除電機能付きの移動式エアブローノズル２３とを備え、固定式エアブローノズル１５から除電用イオンを含んだ空気を頭上側から吹き付けると同時に、移動式エアブローノズル２１を上下方向に往復動させながら除電用イオンを含んだ空気を側面から吹き付ける。【選択図】      図１
0003124427.tif 000002
【実用新案登録請求の範囲】
【請求項１】
使用者の乗る踏み台部と、該踏み台部の上方所定高さ位置に設けられ、かつ、使用者の周囲を囲んでエアシャワー室を形成するカーテンを吊り下げるためのカーテンレールを備えた頭上板と、該頭上板と前記踏み台部とをつなぐ支柱部とからなり、
前記頭上板には、吸排気用の送風機と、該送風機から送給される空気をイオン化して踏み台上の使用者に向けて頭上側から吹き付ける除電機能付きの固定式エアブローノズルとを備え、
前記支柱部には、上端側開口部を前記送風機の空気取り入れ口に連通され、かつ、下端側開口部を支柱部所定位置に設けられた塵埃捕集用フィルターに連通された吸気ダクトと、支柱部正面側に位置して上下方向往復動自在とされ、かつ、前記送風機から送給される空気をイオン化して踏み台上の使用者に向けて側面から吹き付ける除電機能付きの移動式エアブローノズルとを備え、
前記固定式エアブローノズルから除電用イオンを含んだ空気を使用者に向けて頭上側から吹き付けると同時に、前記移動式エアブローノズルを上下方向に往復動させながら除電用イオンを含んだ空気を使用者の側面から吹き付けることを特徴とするエアシャワー装置。
【考案の詳細な説明】
【技術分野】
【０００１】
本考案は、除電機能を備えた簡易型のエアシャワー装置に関するものである。
【背景技術】
【０００２】
従来、一般家庭で使用することを主目的とした簡易型のエアシャワー装置として、例えば特許文献１に記載されるようなものが知られている。このエアシャワー装置は、空気吹出部を備えた頭上部ユニットと、塵埃捕集用フィルターを備えた足下ステップ部と、この足下ステップ部と頭上部ユニットをつなぐ吸気用のダクトとから構成されており、使用者が足下ステップ部に乗ってスイッチを入れると、ダクト内に設けた電動ファンによって足下ステップ部のフィルターを通じて空気が取り入れられ、ダクト内を通って頭上部ユニットの空気吹出部から高速のエアジェットとして吹き出され、人体や衣類に付着している花粉やホコリなどの塵埃を払い落とすものである。払い落とされた塵埃はまわりの空気と一緒に足下ステップ部のフィルターから吸い込まれ、捕集・除去される。塵埃を捕集・除去された後の清浄な空気は再びダクト内へと導かれ、頭上部ユニットの空気吹出部から吹き出される。
【特許文献１】登録実用新案第３０４１９０９号公報（明細書全文、全図）
【考案の開示】
【考案が解決しようとする課題】
【０００３】
上記従来のエアシャワー装置は、ダクトから吸い込んだ空気をただ単に高速のエアジェットとして頭上側から人体に向けて吹き付けるだけであった。しかしながら、一般的に人体や衣服に付着した花粉やホコリなどの塵埃は帯電して静電気を帯びており、この静電気による電気的な吸着力によって人体や衣服に付着しているのが普通である。このため、上記従来のエアシャワー装置のように吸い込んだ空気をただ単に高速のエアジェットとして吹き付けるだけでは、人体や衣服に付着している塵埃を完全に払い落として除去することは難しい。
【０００４】
このような問題を解決するため、例えば、エアシャワー室の天井に除電用のイオンを発生する静電気除去装置（イオナイザー）を付設したエアシャワー装置（例えば特開平１０−１８０２０８号公報参照）などが提案されている。しかし、このエアシャワー装置は、半導体製造工場のクリーンルーム入り口などに設置される業務用の大型のエアシャワー装置であり、静電気除去装置と空気吹き付け用のエアシャワー機構はそれぞれ大型の機構として別々に設けられており、装置全体が大型化するのを避けられなかった。このため、この構造をそのまま一般家庭用の簡易型のエアシャワー装置に適用しても装置が大きくなり過ぎ、一般家庭の玄関や廊下、室内などに設置することができない。
【０００５】
また、除電用のイオンを発生するための静電気除去装置はエアシャワー室の天井に固定配置されているため、そのままでは除電用イオンを全身にくまなく行き渡らせることが難しく、これを実現するにはエアシャワー室内に強力な空気の流れを作り出すための大型のエアシャワー機構が必要である。しかしながら、人体のまわりをカーテンなどで囲んで簡易なエアシャワー室とする一般家庭用のエアシャワー装置では、その構造上大型のエアシャワー機構を設置することが困難で、満足のいく除電効果を得ることができない。
【０００６】
本考案は、上記問題を解決するためになされたもので、除電用のイオンを高速のエアジェットに乗せて全身にくまなく吹き付けることができ、人体や衣服に付着している塵埃を除電しながら高速のエアジェットで確実に吹き落とすことができるとともに、装置の小型化も可能とした簡易型のエアシャワー装置を提供することを目的とするものである。
【課題を解決するための手段】
【０００７】
上記目的を達成するため、本考案のエアシャワー装置は次のような構成を採用した。すなわち、本考案のエアシャワー装置は、使用者の乗る踏み台部と、該踏み台部の上方所定高さ位置に設けられ、かつ、使用者の周囲を囲んでエアシャワー室を形成するカーテンを吊り下げるためのカーテンレールを備えた頭上板と、該頭上板と前記踏み台部とをつなぐ支柱部とからなり、前記頭上板には、吸排気用の送風機と、該送風機から送給される空気をイオン化して踏み台上の使用者に向けて頭上側から吹き付ける除電機能付きの固定式エアブローノズルとを備え、前記支柱部には、上端側開口部を前記送風機の空気取り入れ口に連通され、かつ、下端側開口部を支柱部所定位置に設けられた塵埃捕集用フィルターに連通された吸気ダクトと、支柱部正面側に位置して上下方向往復動自在とされ、かつ、前記送風機から送給される空気をイオン化して踏み台上の使用者に向けて側面から吹き付ける除電機能付きの移動式エアブローノズルとを備え、前記固定式エアブローノズルから除電用イオンを含んだ空気を使用者に向けて頭上側から吹き付けると同時に、前記移動式エアブローノズルを上下方向に往復動させながら除電用イオンを含んだ空気を使用者の側面から吹き付けるようにしたものである。
【考案の効果】
【０００８】
本考案のエアシャワー装置によれば、除電用のイオンを高速のエアジェットに乗せて空気と一緒に吹き付けるので、人体や衣服に付着してる塵埃を除電（静電気の中和）しながら高速のエアジェットで吹き落とすことができる。このため、人体や衣服に付着している塵埃を確実に除去することができる。
【０００９】
また、固定式エアブローノズルと移動式エアブローノズルの２つのノズルを用い、固定式エアブローノズルは使用者の頭上側から除電用イオンを含んだ空気を吹き付けると同時に、移動式エアブローノズルは上下方向に往復動させながら使用者の側面から除電用イオンを含んだ空気を吹き付けるようにしたので、頭部からつま先まで全身の塵埃を効果的に除電して吹き落とすことができる。このため、従来使用されていた簡易型のエアシャワー装置に比べ、除塵効果が格段に向上する。
【００１０】
また、固定式エアブローノズルと移動式エアブローノズルに除電機能を組み込んで一体化しているので構造が簡単となり、装置の小型化が可能となる。このため、除電機能を備えたエアシャワー装置でありながら一般家庭の玄関や廊下、室内などに設置可能な程度まで小型化することができる。
【考案を実施するための最良の形態】
【００１１】
以下、本考案の実施の形態について図面を参照して説明する。
図１に、本考案に係るエアシャワー装置の一実施の形態を示す。図１（ａ）は装置の平面図、図１（ｂ）は正面図、図１（ｃ）は右側面図である。
【００１２】
図において、１１は使用者の乗る踏み台部、１２は踏み台部１１の上方所定高さ位置に設けられた頭上板、１３は踏み台部１１と頭上板１２をつなぐ支柱部である。
【００１３】
頭上板１２は、下面側のほぼ中央位置に除電機能付きの固定式エアブローノズル１５を下向きに備えるとともに、上面側には吸排気用の送風機１６を備えている。この頭上板１２は、上方から見て、踏み台部１１上に乗った使用者の全身を覆い隠すことができる程度の大きさ並びに形状とされており、その周縁部には踏み台部１１上に乗った使用者のまわりを囲んで簡易なエアシャワー室を形成するカーテン１７（後述の図３参照）を吊り下げるためのカーテンレール１８が設けられている。
【００１４】
支柱部１３内には支柱部を上下方向に貫いて吸気ダクト１９が形成されており、前記送風機１６の空気取り入れ口１６ａはこの吸気ダクト１９の上端側開口部に連通されている。なお、支柱部１３と頭上板１２の連結部分のコーナー部には吸気ダクトの一部を兼ねたコーナー補強ケース２０が取り付けられ、頭上板１２上に載せられた送風機１６などの構成部材の重量を支えている。
【００１５】
一方、送風機１６の空気吹き出し口１６ｂ側は、分岐管２１ａ，２１ｂによって二股に分岐され、一方の分岐管２１ａは頭上板１２の固定式エアブローノズル１５につながれているとともに、他方の分岐管２１ｂは支柱部１３内の可撓性ノズルホース２２の一方の端部につながれ、この可撓性ノズルホース２２を通じて、支柱部正面に位置して上下方向移動自在に設置された移動式エアブローノズル２３に連通されている。
【００１６】
また、支柱部１３内には、回転自在な一対のスプロケット２４ａ，２４ｂが上下方向所定の間隔をおいて設けられ、この上下一対のスプロケット間にチェーン２５がループ状に架け渡されている。前記移動式エアブローノズル２３は、このチェーン２５に取り付けられた上で、支柱部１３の正面中央位置に形成された上下方向所定長さからなるスリット２６から外部に臨まされている。
【００１７】
前記一対のスプロケットのうち、上側のスプロケット２４ａにはモーター２７が設けられており、このモーター２７を回転駆動することにより、スプロケット２４ａ，２４ｂに架け渡されたチェーン２５を正逆任意の方向に回動させ、これによってチェーン２５に固着された移動式エアブローノズル２３を上下方向に自在に往復動させることができるように構成されている。
【００１８】
また、前記支柱部１３の正面下部位置には、人体や衣服から払い落とされた花粉やホコリなどの塵埃を捕集・除去するための高性能な塵埃捕集用フィルター（例えばＨＥＰＡフィルターなど）２８が設けられている。このフィルター２８の背面側は吸気ダクト１９の下端側開口部につながれており、人体や衣服から払い落とされた塵埃をまわりの空気とともに吸い込んでフィルター２８で捕集・除去するように構成されている。フィルター２８によって花粉やホコリなどの塵埃を除去された後の清浄な空気は、吸気ダクト１９を通じて再び送風機１６へ送られ、固定式エアブローノズル１５と移動式エアブローノズル２３から吹き出されるようになっている。
【００１９】
さらに、前記支柱部１３の右側面位置には、スイッチ類や液晶表示盤を備えた操作パネル２９が設けられている。この操作パネル２９内には、装置全体の運転を制御する制御装置や後述するコロナ放電用の高電圧発生器などが内蔵されており、スイッチ類を操作することによって後述する所定の除塵処理動作を行なうことができる。
【００２０】
なお、図示例の場合、踏み台部１１は、使用者の体重、頭上板１２および支柱部１３に組み込まれた各装置や機構の重量を充分に支えることができる程度の板厚からなる鋼板によって構成されており、その後端側は支柱部１３の左右下端から延びる支持部材３０にボルト機構３１などを用いて着脱自在に取り付けられ、搬送時などに取り外し可能とされている。また、踏み台部１１と支持部材３０にはストッパー付きのキャスター３２ａ〜３２ｃが取り付けられ、自在に移動できるようになっている。
【００２１】
図２に、固定式エアブローノズル１５と移動式エアブローノズル２３の内部構造と電気系統の概略を示す。図示するように、固定式エアブローノズル１５と移動式エアブローノズル２３内には、それぞれコロナ放電電極３３，３４が取り付けられており、このコロナ放電電極３３，３４に高電圧発生器３５からコロナ放電用の高電圧が供給されている。コロナ放電電極３３，３４は、高電圧の印加によってその先端部においてコロナ放電を起こし、周囲の空気を電離して除電用のイオンを生成する。この生成された除電用のイオンは、それぞれのノズルから吹き出される高速のエアジェットに乗って一緒に吹き出され、人体や衣服に付着している塵埃に接触して除電（静電気の中和）を行なうものである。
【００２２】
次に、図３を参照して上記実施の形態に係るエアシャワー装置の動作を説明する。なお、本考案のエアシャワー装置は、例えば、各家庭の玄関、廊下、室内などに設置され、帰宅した際などに使用される。また、頭上板１２のカーテンレール１８には、人体のまわりを囲んで簡易なエアシャワー室を構成するために、頭部から足元までを覆う所定長さのカーテン１７を予め取り付けておくものとする。
【００２３】
使用者Ｓは使用に際して踏み台部１１上に乗り、カーテン１７を閉めて自分のまわりを仕切り、簡易なエアシャワー室とする。そして、操作パネル２９上のスイッチ類を操作し、除塵処理を開始する。
【００２４】
除塵処理が開始されると、送風機１６が回転を始め、固定式エアブローノズル１５と移動式エアブローノズル２３から空気が高速のエアジェットとなって使用者Ｓに向けて吹き付け開始される。
【００２５】
これと同時に、高電圧発生器３５（図２参照）から固定式エアブローノズル１５と移動式エアブローノズル２３内のコロナ放電電極３３，３４に高電圧が印加開始され、それぞれのノズル内にはコロナ放電によって除電用のイオンが生成される。この除電用のイオンはそれぞれのノズルから吹き出される高速のエアジェットに乗って人体や衣服に吹き付けられ、人体や衣服に付着している塵埃に接触してその静電気を中和する。これにより、人体や衣服に付着している塵埃の静電気による吸着力がなくなり、人体や衣服に付着している塵埃は高速のエアジェットによって速やかに払い落とされる。
【００２６】
さらに、上記処理動作の開始と同時に、支柱部１３内のモーター２７が駆動開始され、移動式エアブローノズル２３が下方へ向かって移動するようにスプロケット２４ａ，２４ｂとチェーン２５を回転駆動する。これにより、移動式エアブローノズル２３は頭部側から足元側へ向かって移動を開始し、人体や衣服に付着している塵埃の除電を行ないながら、人体や衣服に付着している塵埃を高速のエアジェットで吹き落としていく。
【００２７】
一方、固定式エアブローノズル１５は、使用者の頭上側から使用者に向けて下向きに高速のエアジェットを吹き付け、除電用イオンによって塵埃の除電を行なうと同時に塵埃を吹き落とていく。このため、カーテン１７で仕切られたエアシャワー室内には、固定式エアブローノズル１５による下向きのエアジェット流と、フィルター２８を通じた送風機１６による空気吸い込み力との相互作用によって、全体として下向きの空気流が発生し、人体や衣服から吹き落とされた塵埃は支柱部下端のフィルター２８側に向かって流れていく。
【００２８】
フィルター２８側へ流れ落ちてきた塵埃は、吸気ダクト１９を通じた送風機１６による強力な空気吸い込み力によってまわりの空気とともにフィルター２８内へと吸い込まれていき、フィルター２８によって塵埃を捕集・除去される。そして、塵埃を捕集・除去された後の清浄な空気は再び吸気ダクト１９を通って送風機１６へ送られ、固定式エアブローノズル１５と移動式エアブローのズル２３からエアシャワー室内へと吹き出される。
【００２９】
そして、上記下降動作を行なっている移動式エアブローノズル２３がスリット２６の下端位置まで達すると、図示を略した制御装置よってモーター２７の回転方向が逆転される。これによって、移動式エアブローノズル２３は下降動作から上昇動作へとその動きを反転され、上方へ向かって移動していき、人体や衣服に付着した塵埃の除電と吹き落としを行なう。そしてスリット２６の上端位置まで達すると、再び下降動作に切り換えられ、この往復動作を繰り返す。
【００３０】
上記のようにして、予め定められた回数だけ移動用エアブローノズル２３が往復動作を行ない、スリット２６の最上端の初期位置に戻ると、図示しない制御装置は各部の電源を切って装置を自動的に停止し、除塵動作を終了する。装置が停止した後、使用者Ｓがカーテン１７を開けて装置外に出ることにより、一連の処理動作が完了する。これによって、使用者Ｓは花粉やホコリなどの塵埃を払い落とされた清浄な状態となる。
【００３１】
なお、前記移動用エアブローノズル２３の上下方向の往復動作の回数は、操作パネル２９のスイッチ類を操作することにより、例えば往復動作１回だけ、それ以上の複数回、あるいはスイッチを手動で切るまでの連続動作など、自由に設定できるものである。
【図面の簡単な説明】
【００３２】
【図１】本考案に係るエアシャワー装置の一実施の形態を示すもので、（ａ）は装置の平面図、（ｂ）は正面図、（ｃ）は右側面図である。
【図２】固定式エアブローノズルおよび移動式エアブローノズルの内部構造と電気系統の概略を示す図である。
【図３】上記実施の形態に係るエアシャワー装置の使用状態の説明図である。
【符号の説明】
【００３３】
１１    踏み台部
１２    頭上板
１３    支柱部
１５    固定式エアブローノズル
１６    送風機
１６ａ  送風機の空気取り入れ口
１６ｂ  送風機の空気吹き出し口
１７    カーテン
１８    カーテンレール
１９    吸気ダクト
２０    コーナー補強ケース
２１ａ，２１ｂ  分岐管
２２    可撓性ノズルホース
２３    移動式エアブローノズル
２４ａ，２４ｂ  スプロケット
２５    チェーン
２６    スリット
２７    モーター
２８    塵埃捕集用フィルター
２９    操作パネル
３０    支持部材
３１    ボルト機構
３２ａ〜３２ｄ  キャスター
３３，３４ コロナ放電電極
３５    高電圧発生器
Ｓ      使用者
【図１】
0003124427.tif 000003
【図２】
0003124427.tif 000004
【図３】
0003124427.tif 000005